(57)【特許請求の範囲】
【請求項１】
座体と、この座体の後方に起立する背凭れとを備えてなる椅子において、
座体が、座部基板と、この座部基板上に、中央に窪み部を形成しうるように、正面縦断面視上向きコ字状になるように設けたクッション性を有する周壁部と、この周壁部によって形成された窪み部内に、上面を少なくとも左右の周壁部の上端よりも低く位置するように配置したエアクッションとを備え、前記周壁部を、後部を開放した平面視後向きコ字状の充実したクッション体によって形成するとともに、周壁部を、前記座部基板上に立設された補強用の立壁を被覆するようにして設けたことを特徴とする椅子。
【請求項２】
周壁部の外表面を、表皮部材でもって被覆した請求項１記載の椅子。
【請求項３】
エアクッションを、多数の上向き突体の集合体であって、内部に空気を充填し、上方からの下向きの荷重に対して弾性変形しうるようにして形成するとともに、前記集合体を、袋状の被覆部材によって被包して、窪み部内に着脱自在に嵌入させた請求項１または２記載の椅子。
【請求項４】
後部を開放した平面視後向きコ字状のクッション体によって形成された周壁部のうち、前方に位置する前部周壁部の上端面の、少なくとも前後方向の前半部を、左右方向の中央部から所定の範囲に亘って、前方に向けて下降する傾斜面に形成するとともに、その前半部と後半部との境界線の下方近傍に、前部周壁部をもって被覆する立壁を位置させて配置した請求項１〜３のいずれかに記載の椅子。
【請求項５】
左右および前部の周壁部における窪み部側の内周面の上端を、面取り状に窪み部側に向けて下降する傾斜面に形成した請求項１〜４のいずれかに記載の椅子。
【請求項６】
左右および前部の周壁部における窪み部側の内周面の上端に面取り状に形成した傾斜面を、この傾斜面の下端が、エアクッションが、上方からの下向き荷重に対して、下方へ弾性変形したときのエアクッションの上面よりも下方に位置しうるように形成した請求項５記載の椅子。
【発明の詳細な説明】
【技術分野】
【０００１】
本発明は、座体にエアクッションを備えた椅子に係り、長時間の作業に際しても、快適に着座し続けることができるようにした椅子に関する。
【背景技術】
【０００２】
オフィスや作業場等の執務・作業空間において、椅子に着座して、長時間の業務を行う場合、通常の業務用椅子では、座体上に、ウレタン等により成型されたクッション体を載置して、このクッション体を弾性変形させることにより、快適な座り心地が得られるようにしているのが一般的である。
【０００３】
このような業務用椅子は、着座者の下肢や臀部が、座体の特定位置に長時間に亘って位置するように着座した場合、その部位に下肢や臀部の荷重が集中して、凝りや蒸れが生じる虞があるため、健常者では、頻繁に身体を小刻みに動かしたり、着座位置を変えることにより予防しているが、下肢に障害を持つ人は、健常者ほど頻繁に身体を動かすことが困難なため、下肢や臀部の凝りや蒸れが、健常者に比べて起り易いという問題があった。
【０００４】
一方、クッション体の内部に、エアクッションを収容し、着座者の荷重が特定位置に集中することがないように広範囲に分散させることにより、下肢や臀部の凝りや蒸れを防止しようとしたものがある（特許文献１参照）。
【０００５】
しかし、この特許文献１に記載のものは、凝りや蒸れの防止が不充分であるばかりでなく、エアクッションの上面形状が露呈し易く、外観性を損なうという問題があった。
【０００６】
また、クッション体として、座面の中央部に、格子状の溝が設けられた支持枠を嵌め込むとともに、この支持枠の溝に、格子状のエアクッションを埋め込むことにより、クッション体のクッション性を調整し、かつ支持枠の上方を、座面と面一となるように、カバーで施蓋したものがある（特許文献２参照）。
【０００７】
しかし、特許文献２に記載のクッション体では、身体の揺れをコントロールすることが困難な人に対して、下肢が座面から側方にずれてしまう虞がある。
また、クッション体に嵌め込まれる支持枠の後方における座面の後部には、エアクッションの効果が及ばないため、座面上のクッション効果範囲が狭く、長時間に亘って着座する場合は、快適な座り心地を得ることができないという問題があった。
【特許文献１】特表平９−５０７７７８号公報
【特許文献２】特開２００２−１８６５３８号公報
【発明の開示】
【発明が解決しようとする課題】
【０００８】
本発明は、前記の現状に鑑み、特に、下肢に障害を持つ人に対して、長時間に亘る着座作業の場合に、下肢や臀部の凝りや蒸れを効果的に防止することができるとともに、下肢が座面から側方にずれることがなく、かつ快適な座り心地を得ることができるようにした椅子を提供することを目的とする。
【課題を解決するための手段】
【０００９】
上記課題は、次のような構成からなる発明によって解決される。
【００１０】
（１）座体と、この座体の後方に起立する背凭れとを備えてなる椅子において、座体が、座部基板と、この座部基板上に、中央に窪み部を形成しうるように、正面縦断面視上向きコ字状になるように設けたクッション性を有する周壁部と、この周壁部によって形成された窪み部内に、上面を少なくとも左右の周壁部の上端よりも低く位置するように配置したエアクッションとを備えるものとする。
【００１１】
（２）上記（１）項において、周壁部を、後部を開放した平面視後向きコ字状のクッション体によって形成するとともに、その外表面を、表皮部材でもって被覆する。
【００１２】
（３）上記（１）項または（２）項において、エアクッションを、多数の上向き突体の集合体であって、内部に空気を充填し、上方からの下向きの荷重に対して弾性変形しうるようにして形成するとともに、前記集合体を、袋状の被覆部材によって被包して、窪み部内に着脱自在に嵌入させる。
【００１３】
（４）上記（１）〜（３）項のいずれかにおいて、座部基板上の外周近傍に立壁を立設するとともに、この立壁を被覆するようにして、周壁部を設ける。
【００１４】
（５）上記（４）項において、周壁部を、後部を開放した平面視後向きコ字状のクッション体によって形成するとともに、これらの周壁部のうち、前方に位置する前部周壁部の上端面の、少なくとも前後方向の前半部を、左右方向の中央部から所定の範囲に亘って、前方に向けて下降する傾斜面に形成するとともに、その前半部と後半部との境界線の下方近傍に、前部周壁部をもって被覆する立壁を位置させて配置する。
【００１５】
（６）上記（２）〜（５）項のいずれかにおいて、左右および前部の周壁部における窪み部側の内周面の上端を、面取り状に窪み部側に向けて下降する傾斜面に形成する。
【００１６】
（７）上記（６）項において、左右および前部の周壁部における窪み部側の内周面の上端に面取り状に形成した傾斜面を、この傾斜面の下端が、エアクッションが、上方からの下向き荷重に対して、下方へ弾性変形したときのエアクッションの上面よりも下方に位置しうるように形成する。
【発明の効果】
【００１７】
本発明によると、次のような効果が奏せられる。
上記(１)項に記載の発明によると、座体が、座部基板と、この座部基板上に、中央に窪み部を形成しうるように、正面縦断面視上向きコ字状になるように設けたクッション性を有する周壁部と、この周壁部によって形成された窪み部内に、上面を少なくとも左右の周壁部の上端よりも低く位置するように配置したエアクッションとを備えるものとしてあるため、特に、下肢に障害を持つ人に対して、長時間に亘る着座作業の場合にも、下肢や臀部の凝りや蒸れを効果的に防止することができるとともに、着座者の下肢が座面から側方にずれることがなく、かつ快適な座り心地を得ることができる。
【００１８】
上記(２)項に記載の発明によると、周壁部を、後部を開放した平面視後向きコ字状のクッション体によって形成してあるため、座面の後部までエアクッションを配設することができ、長時間に亘る使用に際しても、凝りや蒸れのない快適な座り心地を得ることができる。
また、周壁部の外表面を、表皮部材でもって被覆してあるため、エアクッションを窪み部に繰返し着脱しても、周壁部を形成するクッション体が損傷することはない。
【００１９】
上記(３)項に記載の発明によると、エアクッションを、多数の上向き突体の集合体であって、内部に空気を充填して、上方からの下向きの荷重に対して弾性変形しうるようにして形成してあるため、各突体に加わる着座者の体圧を、エアクッションによって特定位置に集中することなく広範囲に分散させることができる。
また、集合体を、袋状の被覆部材によって被包して、窪み部内に着脱自在に嵌入させてあるため、エアクッションの交換作業を容易に行うことができる。
【００２０】
上記(４)項に記載の発明によると、座部基板上の外周近傍に立壁を立設するとともに、この立壁を被覆するようにして、周壁部を設けてあるため、周壁部が立壁によって補強することができるとともに、周壁部の起立状態を、長期に亘って安定して維持することができる。
【００２１】
上記(５)項に記載の発明によると、周壁部を、後部を開放した平面視後向きコ字状のクッション体によって形成するとともに、これらの周壁部のうち、前方に位置する前部周壁部の上端面の、少なくとも前後方向の前半部を、左右方向の中央部から所定の範囲に亘って、前方に向けて下降する傾斜面に形成するとともに、その前半部と後半部との境界線の下方近傍に、前部周壁部をもって被覆する立壁を位置させて配置してあるため、着座者の下肢、特に膝裏が当たる部位の圧迫を軽減することができ、下肢を細かく動かすことが困難な人でも、膝への凝りや蒸れが生じることがなく、これにより、長時間に亘って快適な座り心地を得ることができる。
【００２２】
上記(６)項に記載の発明によると、左右および前部の周壁部における窪み部側の内周面の上端を、面取り状に窪み部側に向けて下降する傾斜面に形成してあるため、着座者の下肢がずれて、周壁部に当たった場合であっても、着座者に窮屈さを感じさせることがない。
【００２３】
上記(７)項に記載の発明によると、左右および前部の周壁部における窪み部側の内周面の上端に面取り状に形成した傾斜面を、この傾斜面の下端が、エアクッションが、上方からの下向き荷重に対して、下方へ弾性変形したときのエアクッションの上面よりも下方に位置しうるように形成してあるため、着座者の下肢がずれて、周壁部に当たった場合であっても、着座者に窮屈さを感じさせることがない。
【発明を実施するための最良の形態】
【００２４】
以下、本発明を、図面に基づいて説明する。
図１は、本発明の一実施形態の椅子の全体斜視図、図２は、同じく椅子の側面図、図３は、同じく、椅子の正面図、図４は、座体を分解して示す椅子の斜視図、図５は、図２におけるＶ−Ｖ線の縦断面図、図６は、図３におけるＶＩ−ＶＩ線の縦断面図、図７は、エアクッションの斜視図である。
【００２５】
図１〜図３に示すように、本発明の椅子１は、支基２に脚体３が取り付けられ、この脚体３に支基２を介して支持された座体４の後方に、支基２に枢着された背凭れ支持フレーム５が後傾可能に配設されている。
背凭れ支持フレーム５の前面には、背凭れ６が設けられ、座体４の左右には、肘掛け７が配設されている。
脚体３は、左右１対の前後脚８からなり、それらの脚端には、キャスター９が取り付けられている。
【００２６】
座体４は、図４に示すように、脚体３に支持された座部基板１０と、この座部基板１０上に、中央に窪み部１２を形成しうるように、正面縦断面視上向きコ字状になるように設けたクッション性を有する周壁部１１と、この周壁部１１によって形成された窪み部１２内に、上面１３ａを少なくとも左右の周壁部１１Ａ、１１Ｂの上端よりも低く位置するように配置したエアクッション１３とを備えている。
【００２７】
周壁部１１は、図５、図６に示すように、後部を開放した平面視後向きコ字状のウレタン発泡体等からなるクッション体１４によって形成されているとともに、このクッション体１４の外表面が、表皮部材１５でもって被覆されている。
【００２８】
すなわち、座体４は、座部基板１０と、この座部基板１０上に配置した左右の周壁部１１Ａ、１１Ｂとによって、中央に窪み部１２が形成されるように、正面縦断面視上向きコ字状に形成してなるとともに、左右の周壁部１１Ａ、１１Ｂ間における座部基板１０の上面は、エアクッション１３が嵌入されて載置される窪み部１２の内底面１２ａとなっている。
【００２９】
クッション体１４は、図５に示すように、左右の周壁部１１Ａ、１１Ｂにおける内周面１１ａの上端が、面取り状に窪み部１２側に向けて下降する傾斜面に形成されている。
また、前部周壁部１１Ｃの上端面は、図１、図３に示す座体４における左右方向の中１ｂが、前方に向けて下降する傾斜面に形成され、後半部１１ｃが、窪み部１２側の後方に向けて下降する傾斜面に形成されている。
これらの左右および前部の周壁部１１Ａ、１１Ｂ、１１Ｃにおける窪み部１２側の内周面の上端に面取り状に形成された傾斜面の下端は、エアクッション１３が、上方からの下向き荷重に対して、下方へ弾性変形したときのエアクッション１３の上面１３ａよりも下方に位置しうるように形成されている。
【００３０】
座部基板１０上の外周近傍には、図５、図６に示すように、周壁部１１をもって被覆する平面視後向きコ字状の立壁１６が、固定金具１７を介して立設されている。
すなわち、この立壁１６を構成する左右および前部の立壁１６Ａ、１６Ｂ、１６Ｃは、それぞれ左右および前部の周壁部１１Ａ、１１Ｂ、１１Ｃによって被覆されている。
また、前部立壁１６Ｃは、前部周壁部１１Ｃの上端面における前半部１１ｂと後半部１１ｃとの境界線の下方近傍に位置しうるように配置されている。
【００３１】
エアクッション１３は、図７に示すように、多数の中空な上向き突体１８を集合して形成された集合体１９からなり、この集合体１９を形成する各上向き突体１８の内部に空気を充填して、上方からの下向きの荷重に対して弾性変形しうるようにして形成するとともに、袋状の被覆部材２０によって被包することにより、窪み部１２内に着脱自在に嵌入されるようになっている。
各上向き突体１８は、図５、図６に示すように、互いに連通口１８ａを介して連通しうるように接合させることにより、１個所の注入口２１から各突体１８へ空気の充填供給が可能となっている。
【００３２】
このように、本発明の椅子１は、座体４を、脚体３に支持された座部基板１０上に、正面縦断面視上向きコ字状になるように設けたクッション性を有する周壁部１１によって、中央に窪み部１２が形成されるようにし、この窪み部１２内に、エアクッション１３を嵌入するとともに、このエアクッション１３の上面１３ａを、少なくとも左右の周壁部１１Ａ、１１Ｂの上端よりも低く位置するように配置して形成してあるため、特に、下肢に障害を持つ人に対して、長時間に亘る着座作業の場合にも、下肢や臀部の凝りや蒸れを効果的に防止することができるとともに、着座者の下肢が座面から側方にずれることがなく、かつ快適な座り心地を得ることができる。
【００３３】
また、エアクッション１３は、多数の上向き突体１８の集合体１９であって、内部に空気を充填し、上方からの下向きの荷重に対して弾性変形しうるようにして形成してあるため、着座者の体圧を、特定位置に集中することなく広範囲に分散させることができる。
【００３４】
座部基板１０上の外周近傍には、立壁１６が立設されているため、周壁部１１が立壁１６によって補強され、周壁部１１の起立状態を、長期に亘って安定して維持することができる。
【００３５】
周壁部１１のうち、前方に位置する前部周壁部１１Ｃの上端面において、少なくとも前後方向の前半部１１ｂが、左右方向の中央部から所定の範囲Ｘに亘って、前方に向けて下降する傾斜面に形成されるとともに、その前半部１１ｂと後半部１１ｃとの境界線の下方近傍に、前部周壁部１１Ｃをもって被覆する前部立壁１６Ｃを位置させて配置してあるため、着座者の下肢、特に膝裏が当たる部位の圧迫を軽減することができ、下肢を細かく動かすことが困難な人でも、膝への凝りや蒸れが生じることがなく、これにより、長時間に亘って快適な座り心地を得ることができる。
【００３６】
また、左右および前部の周壁部１１Ａ、１１Ｂ、１１Ｃにおける窪み部１２側の内周面の上端が、面取り状に窪み部１２側に向けて下降する傾斜面に形成されているとともに、これらの傾斜面の下端を、エアクッション１３が、上方からの下向き荷重に対して、下方へ弾性変形したときのエアクッション１３の上面１３ａよりも下方に位置しうるように、窪み部１２側に向けて下降するように形成してあるため、着座者の下肢がずれて、周壁部１１に当たった場合であっても、着座者に窮屈さを感じさせることがない。
【００３７】
なお、本実施形態においては、脚体を備える事務用椅子を例にして説明したが、本発明は、その他、例えば座椅子等にも適用することができる。
【図面の簡単な説明】
【００３８】
【図１】本発明の一実施形態の椅子の全体斜視図である。
【図２】同じく、椅子の側面図である。
【図３】同じく、椅子の正面図である。
【図４】座体を分解して示す椅子の斜視図である。
【図５】図２におけるＶ−Ｖ線の縦断面図である。
【図６】図３におけるＶＩ−ＶＩ線の縦断面図である。
【図７】エアクッションの斜視図である。
【符号の説明】
【００３９】
１    椅子
２    支基
３    脚体
４    座体
５    背凭れ支持フレーム
６    背凭れ
７    肘掛け
８    前後脚
９    キャスター
１０  座部基板
１１  周壁部
１１Ａ、１１Ｂ  左右の周壁部
１１Ｃ  前部周壁部
１１ａ  内周面
１１ｂ  前半部
１１ｃ  後半部
１２  窪み部
１２ａ  内底面
１３  エアクッション
１３ａ  上面
１４  クッション体
１５  表皮部材
１６  立壁
１６Ａ、１６Ｂ  左右の立壁
１６Ｃ  前部立壁
１７  固定金具
１８  上向き突体
１８ａ  連通口
１９  集合体
２０  被覆部材
２１  注入口
【図１】
0005390127.tif 000002
【図２】
0005390127.tif 000003
【図３】
0005390127.tif 000004
【図４】
0005390127.tif 000005
【図５】
0005390127.tif 000006
【図６】
0005390127.tif 000007
【図７】
0005390127.tif 000008